(57)【特許請求の範囲】
【請求項１】
複数の端末装置又は該端末装置と接続される端末インタフェースからマルチフレームにより順々に送信される各端末装置対応の監視パターン信号を受信検出して、各端末装置又は該端末装置と接続される端末インタフェースとの伝送の異常を監視するデータ伝送異常監視方法において、
前記複数の端末装置又は端末インタフェースの何れか１つに伝送異常の発生を検出すると、当該１つの端末装置又は端末インタフェースに対して、他の端末装置又は端末インタフェースより優先させ、監視パターン信号を連続して送信するように制御し、該連続送信された監視パターン信号を基に、当該端末装置又は端末インタフェースとの伝送異常の判定を行うことを特徴とするデータ伝送異常監視方法。
【請求項２】
複数の端末装置又は該端末装置と接続される端末インタフェースからマルチフレームにより順々に送信される各端末装置対応の監視パターン信号を受信検出する監視パターン検出部を備え、該監視パターン信号の検出結果を基に、各端末装置又は該端末装置と接続される端末インタフェースとの伝送の異常を監視するデータ伝送異常監視システムにおいて、
前記監視パターン検出部は、前記複数の端末装置又は端末インタフェースの何れか１つに伝送異常の発生を検出すると、当該１つの端末装置又は端末インタフェースに対して、他の端末装置又は端末インタフェースより優先させ、監視パターン信号を連続して送信させる監視優先制御信号を送信する手段と、
該監視優先制御信号に応じて連続的に送信された当該端末装置又は端末インタフェースからの監視パターン信号を基に、当該端末装置又は端末インタフェースとの伝送異常の判定を行う手段と、
を備えたことを特徴とするデータ伝送異常監視システム。
【請求項３】
前記監視優先制御信号を送信する手段は、複数の各端末装置又は端末インタフェースへ、それぞれ個別の監視優先制御信号線により監視優先制御信号を送信する構成を備えたことを特徴とする請求項２に記載のデータ伝送異常監視システム。
【請求項４】
前記監視優先制御信号を送信する手段は、複数の各端末装置又は端末インタフェースへ、共通の監視優先制御信号線により、１つの端末装置又は端末インタフェースを指定する識別番号を含む監視優先制御信号を送信する構成を備えたことを特徴とする請求項２に記載のデータ伝送異常監視システム。
【請求項５】
前記監視優先制御信号を送信する手段は、複数の各端末装置又は端末インタフェースへ、下り方向データバスを介して、１つの端末装置又は端末インタフェースを指定する識別番号を含む監視優先制御信号を送信する構成を備えたことを特徴とする請求項２に記載のデータ伝送異常監視システム。
【請求項６】
前記データ伝送異常監視システムは、複数の各端末装置又は端末インタフェースから上り方向データバスを通して、各端末装置対応の監視パターン信号及び送信データを受信する信号処理部を備え、前記監視パターン検出部を該信号処理部内に備えたことを特徴とする請求項２乃至５の何れかに記載のデータ伝送異常監視システム。
【発明の詳細な説明】
【０００１】
【発明の属する技術分野】
本発明は、データ伝送異常監視方法及びシステムに関し、特に、複数の端末装置とデータバスを介してデータ信号の送受を行う信号処理部を備えた通信装置等において、データバスによる伝送の異常発生箇所を迅速に特定することができるデータ伝送異常監視方法及びシステムに関する。
【０００２】
【従来の技術】
図６に複数の端末装置とデータバスを介してデータ信号の送受を行う通信装置の構成を示す。通信装置は一般に、同図の（ａ）に示すように、ｎ個の端末装置２1 〜２n から０系及び１系の信号処理部１0 ，１1 へのｎ：１の上りデータバス３0 ，３1 と、同図の（ｂ）に示すように、０系及び１系の信号処理部１0 ，１1 からｎ個の端末装置２1 〜２n への１：ｎの下りデータバス４0 ，４1 とを備え、信号処理部１0 ，１1 とｎ個の端末装置２1 〜２n とでデータバス３0 ，３1 又は４0 ，４1 を介して双方向にデータ信号を伝送する。
【０００３】
信号処理部１0 ，１1 は、各端末装置２1 〜２n からのデータ信号を多重し、更に上位の通信装置へ伝送すると共に、上位の通信装置からの多重化されたデータ信号を分離し、各端末装置２1 〜２n へデータ信号を伝送する等の機能を有している。
【０００４】
ここで、上りデータバス３0 ，３1 と下りデータバス４0 ，４1 は、それぞれ物理的に分離した別個の伝送路としても良いし、また、物理的には同一の伝送路を使用し、時分割多重伝送、周波数分割多重伝送、パケット多重伝送、その他の多重伝送技術を用いて上りと下りとが別チャネルとなるように構成したものであっても良い。
【０００５】
また、０系及び１系の信号処理部１0 ，１1 は、同図（ｃ）に示すように、監視パターン挿入部を備え、該監視パターン挿入部により上りデータバス３0 ，３1 に予め定められた監視パターン信号を挿入し、上りデータバス３0 ，３1 を通した監視パターン信号を、０系及び１系の信号処理部１0 ，１1 で受信検出し、上りデータバス３0 ，３1 に挿入した監視パターン信号と、上りデータバス３0 ，３1 から受信して検出した監視パターン信号との比較照合により、上りデータバスの伝送の正常性を確認する監視手段を備えている。
【０００６】
図６（ｃ）に示す監視手段では、上りデータバス３0 ，３1 の正常／異常しか監視することができず、各端末装置２1 〜２n から上りデータバス３0 ，３1 までの伝送、及び上りデータバス３0 ，３1 から信号処理部１0 ，１1 までの伝送を含むデータ伝送の監視を行うことができない。
【０００７】
そこで、各端末装置２1 〜２n から所定の監視パターン信号を上りデータバス３0 ，３1 の所定の位置に挿入して送信し、信号処理部１0 ，１1 は、各端末装置２1 〜２n から送信された監視パターン信号を上りデータバス３0 ，３1 から受信検出して、予め定めた所定のパターンと比較照合することにより、各端末装置２1 〜２n からの伝送の正常／異常を監視すると共に、異常発生箇所の伝送路を特定することができるようにしている。
【０００８】
図７及び図８は、各端末装置２1 〜２n から監視パターン信号を伝送する従来技術を示す。先ず、図７に示す伝送方法は、同図（ａ）に示すように１フレーム内に各端末装置２1 〜２n からの上りデータ信号と共に、各端末装置２1 〜２n からの監視パターン信号Ｋ1 〜Ｋn の全てを所定のタイムスロット位置に挿入して伝送する。
【０００９】
図７の（ｂ）は上りデータバス上のデータ信号を示し、１フレーム内にｎ個の監視パターン信号（同図において太線で示している。）を挿入して信号処理部へ伝送する。同図の（ｃ）は第１の端末装置２1 から出力され挿入される監視パターン信号を示し、同図の（ｄ）は第２の端末装置２2 から出力され挿入される監視パターン信号を示し、同図の（ｅ）は第ｎの端末装置２n から出力され挿入される監視パターン信号を示している。
【００１０】
ここで、監視パターン信号の受信検出における誤りに対する保護を行うため、或る端末装置から異常を示す監視パターン信号（ＮＧ）を３回受信検出したときに、該端末装置が異常であると判定し、正常を示す監視パターン信号（ＯＫ）を３回受信検出したときに、該端末装置が正常であると判定するものとする。即ち異常検出の保護段数が３、正常検出の保護段数が３であるとする。
【００１１】
図７に示す例では、端末装置２2 から異常を示す監視パターン信号（ＮＧ）を３回受信検出したときに、即ち異常発生から３フレーム目で該端末装置２2 の異常を検知してその旨の監視情報を出力し、また、該端末装置２2 から正常を示す監視パターン信号（ＯＫ）を３回受信検出したときに、該端末装置２2 が正常であると判定してその旨の監視情報を出力する例を示している。
【００１２】
図８に示す伝送方法は、各端末装置２1 〜２n の監視パターン信号をマルチフレーム構成にし、１フレーム内に、各端末装置２1 〜２n からの上りデータと、１つの監視パターン信号のみを所定のタイムスロット位置に挿入して伝送する。このマルチフレーム構成による監視パターン信号の伝送は、同図（ａ）に示すように、１フレーム内に１ビットの監視パターン信号Ｋと各端末装置からの上りデータとを格納し、１ビット分の監視パターン信号Ｋには、各端末装置２1 〜２n の監視パターン信号を１フレームに１つ挿入し、次フレームに次の端末装置の監視パターン信号を挿入し、以下順に１フレームに１端末装置の監視パターン信号を挿入して順次伝送する。
【００１３】
図８の（ｂ）は上りデータバス上のデータ信号を示し、１マルチフレーム内にｎ個の監視パターン信号（同図において太線で示している。）を挿入して信号処理部へ伝送する。同図の（ｃ）は第１の端末装置２1 から出力され挿入される監視パターン信号を示し、同図の（ｄ）は第２の端末装置２2 から出力され挿入される監視パターン信号を示し、同図の（ｅ）は第ｎの端末装置２n から出力され挿入される監視パターン信号を示している。
【００１４】
信号処理部１0 ，１1 は、各端末装置２1 〜２n からの監監視パターン信号を１フレームについて１つずつ検出し、その正常性を確認する。この場合、異常検出の保護段数が３あるとすると、図８の（ｄ）に示すように、端末装置２2 から異常を示す監視パターン信号（ＮＧ）を３回受信検出したときに、即ち異常発生から３マルチフレーム目（ｎ×３フレーム目）で該端末装置２2 の異常を検知し、同図（ｆ）に示すように監視情報として端末装置２2 の異常を示す信号を出力する。
【００１５】
【発明が解決しようとする課題】
図６に示したように通信装置は冗長化構成により通信の信頼性確保を図っているが、データ伝送の障害が発生してからその障害の検出までに長時間掛かると、正常状態への復旧が長時間遅れてしまうことになる。障害発生の検出時間を短縮するためには、図７に示す伝送技術を用い、全ての端末装置２1 〜２n からの監視パターン信号を１フレーム内に挿入して伝送すれば良いが、その分、端末装置２1 〜２n から送信しようとする送信データ領域が減ってしまう。
【００１６】
前述した図８に示す伝送技術は、１フレームに１ビットの監視パターン信号しか挿入しないため、端末装置２1 〜２n の送信データ領域の減少を最少にとどめることができるが、マルチフレーム構成の監視パターン信号は１フレームについて１つずつ検出されるため、全ての監視パターン信号の検出を完了するのに、ｎフレーム分の時間が掛かることになる。
【００１７】
その上、実際には、監視パターン信号の検出誤りに対する保護を行うため、各監視パターン信号を複数回受信して異常／正常を判定するので、保護段数をｍ段とすると、各端末装置２1 〜２n からのデータ伝送の異常の検出に、ｎ×ｍフレーム分の時間を要することとなる。
【００１８】
本発明は、各端末装置２1 〜２n から送信しようとする送信データ領域を減少させることなく、且つ、データ伝送の異常／正常の検出及び異常箇所の特定をより迅速に行うことができるデータ伝送異常監視方法及びシステムを提供することを目的とする。
【００１９】
【課題を解決するための手段】
本発明のデータ伝送異常監視方法は、（１）複数の端末装置又は該端末装置と接続される端末インタフェースからマルチフレームにより順々に送信される各端末装置対応の監視パターン信号を受信検出して、各端末装置又は該端末装置と接続される端末インタフェースとの伝送の異常を監視するデータ伝送異常監視方法において、前記複数の端末装置又は端末インタフェースの何れか１つに伝送異常の発生を検出すると、当該１つの端末装置又は端末インタフェースに対して、他の端末装置又は端末インタフェースより優先させ、監視パターン信号を連続して送信するように制御し、該連続送信された監視パターン信号を基に、当該端末装置又は端末インタフェースとの伝送異常の判定を行うものである。
【００２０】
また、本発明のデータ伝送異常監視システムは、（２）複数の端末装置又は該端末装置と接続される端末インタフェースからマルチフレームにより順々に送信される各端末装置対応の監視パターン信号を受信検出する監視パターン検出部を備え、該監視パターン信号の検出結果を基に、各端末装置又は該端末装置と接続される端末インタフェースとの伝送の異常を監視するデータ伝送異常監視システムにおいて、前記監視パターン検出部は、前記複数の端末装置又は端末インタフェースの何れか１つに伝送異常の発生を検出すると、当該１つの端末装置又は端末インタフェースに対して、他の端末装置又は端末インタフェースより優先させ、監視パターン信号を連続して送信させる監視優先制御信号を送信する手段と、該監視優先制御信号に応じて連続的に送信された当該端末装置又は端末インタフェースからの監視パターン信号を基に、当該端末装置又は端末インタフェースとの伝送異常の判定を行う手段と、を備えたものである。
【００２１】
また、（３）前記監視優先制御信号を送信する手段は、複数の各端末装置又は端末インタフェースへ、それぞれ個別の監視優先制御信号線により監視優先制御信号を送信する構成を備えたものである。また、（４）前記監視優先制御信号を送信する手段は、複数の各端末装置又は端末インタフェースへ、共通の監視優先制御信号線により、１つの端末装置又は端末インタフェースを指定する識別番号を含む監視優先制御信号を送信する構成を備えたものである。
【００２２】
また、（５）前記監視優先制御信号を送信する手段は、複数の各端末装置又は端末インタフェースへ、下り方向データバスを介して、１つの端末装置又は端末インタフェースを指定する識別番号を含む監視優先制御信号を送信する構成を備えたものである。また、（６）前記データ伝送異常監視システムは、複数の各端末装置又は端末インタフェースから上り方向データバスを通して、各端末装置対応の監視パターン信号及び送信データを受信する信号処理部を備え、前記監視パターン検出部を該信号処理部内に備えたものである。
【００２３】
【発明の実施の形態】
図１は本発明の第１の実施形態を示す。同図の（ａ）において、信号処理部１は従来と同様に、各端末装置２1 〜２n からのデータ信号を多重し、更に上位の通信装置へ伝送すると共に、上位の通信装置からの多重化されたデータ信号を分離し、各端末装置２1 〜２n へデータ信号を伝送する等の機能を有し、更に、ｎ本の監視優先制御信号線５1 〜５n を用いて、各端末装置２1 〜２n へ監視優先制御信号を送信する。
【００２４】
また、図１（ａ）において、信号処理部１は一つしか図示していないが、図６に示した通信装置と同様に複数個設けて冗長構成化したものであっても同様に適用することができる。また、図１（ａ）において上りデータバス３しか図示していないが、図６に示した通信装置と同様に下りデータバスを備え、双方向通信を行う通信装置であっても同様に適用することができる。
【００２５】
更に、図１（ａ）において、各端末装置２1 〜２n 対応の端末インタフェース６1 〜６n を介して上りデータバス３に信号を送信する実施形態を示しているが、端末インタフェース６1 〜６n を各端末装置２1 〜２n に一体化して構成したものであっても良い。また、信号処理部１に監視パターン信号挿入部１２を設け、監視パターン信号挿入部１２から上りデータバス３に監視パターン信号を挿入することにより、上りデータバス３のみの伝送異常の監視を行う実施形態でも同様に適用することができる。
【００２６】
図１（ａ）に示すように、信号処理部１から各端末インタフェース６1 〜６n にｎ本の監視優先制御信号線により監視優先制御信号を与える。この監視優先制御信号は、信号処理部１内の監視パターン検出部１１で一度伝送異常を検出すると、その異常発生元の端末インタフェースに対して優先的に監視パターン信号を連続送出するように制御するための信号である。
【００２７】
同図（ｂ）は通常時の上りデータバスに挿入される１フレーム毎の監視パターン信号列を示し、１フレーム毎の監視パターン信号挿入ビット位置Ｋに１フレームに１つずつ、端末２1 の監視パターン信号Ｋ1 、端末２2 の監視パターン信号Ｋ2 、端末２n の監視パターン信号Ｋn を順番に挿入して出力する。
【００２８】
ここで例として、信号処理部１内の監視パターン検出部１１で、端末２2 からの監視パターン信号の異常を検出した場合、信号処理部１から端末インタフェース６2 に、次フレーム以降の監視パターン信号も連続して送出するよう、監視優先制御信号を出力する。また、信号処理部１は、端末インタフェース６2 以外の端末インタフェースに対して、監視パターン信号の送出を中断するよう、監視優先制御信号を出力する。
【００２９】
監視パターン信号受信検出の保護段数を３段とすると、１回目の監視パターン信号の異常が検出されたフレームに続いて、端末２2 からは同図（ｃ）に示すように監視パターン信号を連続して送出し、監視パターン検出部１１で次の２フレームに亙って連続して該監視パターン信号の異常を検出すると、信号処理部１は端末２2 からの上りデータバスの伝送が異常であると判定する。
【００３０】
従って、マルチフレームによる監視パタン信号の伝送による異常発生から検出までの時間が、従来技術ではｎ×３フレーム時間であったのに対し、本発明の第１の実施形態では、ｎ＋３フレーム時間に短縮されることになる。
【００３１】
なお、信号処理部１の監視パターン信号挿入部１２から上りデータバス３に監視パターン信号を挿入し、上りデータバス３のみの伝送異常の監視を行う実施形態の場合、監視パターン信号挿入部１２からの監視パターン信号挿入のためのフレームを１フレーム分追加し、マルチフレーム構成を（ｎ＋１）フレームとした場合、従来技術では（ｎ＋１）×３フレーム時間であったのに対し、本発明の第１の実施形態では、（ｎ＋１＋３）フレーム時間に短縮されることになる。
【００３２】
図２に本発明の第２の実施形態を示す。この実施形態は図２（ａ）に示すように、信号処理部１から各端末インタフェース６1 〜６n に１本の共通の監視優先制御信号線５１により監視優先制御信号を与えるようにしたものである。この監視優先制御信号は、信号処理部１内の監視パターン検出部１１で、或る端末からの監視パターン信号の異常を一度検出した場合、その異常発生端末インタフェースの識別（ＩＤ）番号をシリアルに送出して発生端末インタフェースを指定し、該異常発生端末インタフェースに対して優先的に監視パターン信号を連続送出するように制御する信号である。
【００３３】
同図（ｂ）は通常時の上りデータバスに挿入される１フレーム毎の監視パターン信号列を示し、１フレーム毎の監視パターン信号挿入ビット位置Ｋに１フレームに１つずつ、端末２1 の監視パターン信号Ｋ1 、端末２2 の監視パターン信号Ｋ2 、端末２n の監視パターン信号Ｋn を順番に挿入して出力する。
【００３４】
ここで例として、信号処理部１内の監視パターン検出部１１で、端末２2 からの監視パターン信号の異常を検出した場合、信号処理部１から端末インタフェース６2 に、次フレーム以降の監視パターン信号を連続して送出するよう、端末インタフェース６2 の識別（ＩＤ）番号を含む監視優先制御信号を出力する。
【００３５】
また、当該端末インタフェース６2 以外の端末インタフェースは、監視優先制御信号を受信し、該監視優先制御信号に含まれる識別（ＩＤ）番号が自端末インタフェースの識別（ＩＤ）番号以外であることを検出し、自端末インタフェースからの監視パターン信号の送出を中断する。
【００３６】
監視パターン信号受信検出の保護段数を３段とすると、第１の実施形態と同様に、１回目の監視パターン信号の異常が検出されたフレームに続いて、端末２2 からは同図（ｃ）に示すように監視パターン信号を連続して送出し、監視パターン検出部１１で次の２フレームに亙って連続して該監視パターン信号の異常を検出すると、信号処理部１は端末２2 からの上りデータバスの伝送が異常であると判定する。
【００３７】
この実施形態でも同様に、マルチフレームによる監視パタン信号の伝送による異常発生から検出までの時間が、従来技術ではｎ×３フレーム時間又は（ｎ＋１）×３フレーム時間であったのに対し、本発明の第１の実施形態では、（ｎ＋３）フレーム時間又は（ｎ＋１＋３）フレーム時間に短縮されることになる。
【００３８】
図３は本発明の第３の実施形態を示す。この実施形態は同図（ａ）に示すように、信号処理部１内に異常端末指示挿入部１３を設け、信号処理部１は、異常端末指示挿入部１３から端末インタフェース方向の下りデータバス４を介して各端末インタフェース６1 〜６n に異常端末指示信号を与える。
【００３９】
図３の（ｂ）は異常端末指示信号を含む下り方向データバス４のデータフォーマットを示し、１フレーム内に各端末装置２1 〜２n への送信データと共に異常端末指示信号を格納して伝送する。異常端末指示信号は、通常状態では無信号状態で送信され、この状態では、同図（ｃ）に示すように１フレーム毎の監視パターン信号挿入ビット位置Ｋに１フレームに１つずつ、各端末２1 〜２n の監視パターン信号を順番に挿入して送信する。
【００４０】
信号処理部１内の監視パターン検出部１１は、或る端末からの監視パターン信号の異常を一度検出すると、異常端末指示挿入部１３から該異常発生端末インタフェースの識別番号を含む異常端末指示信号を送出する。下りデータバス４を介して各端末インタフェース６1 〜６n は異常端末指示信号を受信し、該異常端末指示信号の識別番号により指示された端末インタフェースは、監視パターン信号を連続して送出する。一方、異常端末指示信号の識別番号と異なる端末インタフェースは、監視パターン信号の送出を中断する。
【００４１】
ここで、信号処理部１内の監視パターン検出部１１で、端末２2 からの監視パターン信号の異常を検出した場合、異常端末指示挿入部１３から端末インタフェース６2 に、次フレーム以降の監視パターン信号を連続して送出するよう指示する異常端末指示信号を出力する。
【００４２】
監視パターン信号受信検出の保護段数を３段とすると、第１及び第２の実施形態と同様に、１回目の監視パターン信号の異常が検出されたフレームに続いて、端末２2 からは同図（ｄ）に示すように監視パターン信号を連続して送出し、監視パターン検出部１１で次の２フレームに亙って連続して該監視パターン信号の異常を検出すると、信号処理部１は端末２2 からの上りデータバスの伝送が異常であると判定する。
【００４３】
この実施形態でも同様に、マルチフレームによる監視パタン信号の伝送による異常発生から検出までの時間が、従来技術ではｎ×３フレーム時間又は（ｎ＋１）×３フレーム時間であったのに対し、本発明の第１の実施形態では、（ｎ＋３）フレーム時間又は（ｎ＋１＋３）フレーム時間に短縮されることになる。
【００４４】
図４及び図５は本発明による異常発生時の監視パターン信号送出のタイムチャートを示す。図４の（ａ）は上りデータバス上のデータ信号を示し、１フレーム内にｎ個の端末からの各データＤ１〜Ｄｎと１ビットの監視パターン信号（同図において太線で示している。）を格納し、ｎ個のフレームにより１マルチフレームを構成して、各端末からの監視パターン信号及び各データＤ１〜Ｄｎを信号処理部へ伝送する。
【００４５】
通常各端末は１マルチフレームに１つの監視パターン信号を挿入して送信するが、図４の（ｃ）に示す例のように第２の端末から異常発生が検出されると、同図（ｅ）に示すように、第２の端末に対して監視優先制御を行い、第２の端末から監視パターン信号を連続して送出するように促し、早期に異常を検出する。
【００４６】
第２の端末から監視パターン信号を連続して送出しているとき、図４に示す例では、他の端末からの監視パターン信号の送出は省力され、第２の端末の監視パターン信号送出によって送信することができなかった他の端末は、次のマルチフレームの周期に監視パターン信号を送出する。
【００４７】
図５は、監視優先制御により監視パターン信号を送信することができなかった他の端末が、障害の発生した第２の端末による監視パターン信号の連続送出の終了後に続いて監視パターン信号を送信する実施例を示している。同図（ｃ）に示すように、障害の発生した第２の端末による監視パターン信号の連続送出に続いて、同図（ｄ）に示すように次の第３の端末は、障害発生前のタイミング位置とはズレたタイミング位置で監視パターン信号を送信する。これに伴い、他の端末ｎ及び端末１も順々に元々のタイミングとズレたタイミング位置で監視パターン信号を送信する。
【００４８】
図４に示した例では、各端末からの監視パターン信号の送信タイミングは固定化され、監視パターン信号の伝送制御が簡素化されるが、監視優先制御により監視パターン信号を送信することができなかった端末装置は、次のマルチフレーム周期まで監視パターン信号の送信が遅らされ、もし異常が発生した場合、その分、異常発生の検出が遅延することになる。
【００４９】
一方、図４に示した例では、監視優先制御により監視パターン信号を送信することができなかった端末装置は、監視パターン信号の送信を飛ばされること無く引き続いて送信可能であるため、もし異常が発生した場合、遅滞なく異常発生が検出されるが、各端末からの監視パターン信号の送信タイミングが変動するため、監視パターン信号の伝送制御が複雑になる。
【００５０】
【発明の効果】
以上説明したように、本発明によれば、複数の端末装置から監視パターン信号をマルチフレーム構成により送信し、１つの信号処理部で該マルチフレーム構成の監視パターン信号を監視し、各端末装置からの伝送異常を検出する通信装置において、或る１つの端末装置の伝送異常を検出すると、引き続き該端末装置から監視パターン信号を送信するように優先制御することにより、各端末装置からの実データ領域を減少させることなく、且つ、データ伝送の異常検出及び異常箇所の特定をより迅速に行うことができ、複数の端末装置の個別データ伝送障害が瞬時に監視可能となるとともに、データ伝送異常の検出時間が短縮化され、冗長系通信装置においては、迅速に正常状態に復旧させることが可能となる。
【図面の簡単な説明】
【図１】本発明の第１の実施形態を示す図である。
【図２】本発明の第２の実施形態を示す図である。
【図３】本発明の第３の実施形態を示す図である。
【図４】本発明による異常発生時の監視パターン信号送出のタイムチャートである。
【図５】本発明による異常発生時の監視パターン信号送出のタイムチャートである。
【図６】複数の端末装置とデータバスを介してデータ信号の送受を行う通信装置の図である。
【図７】各端末装置２1 〜２n から監視パターン信号を伝送する従来技術を示す図である。
【図８】各端末装置２1 〜２n から監視パターン信号を伝送する従来技術を示す図である。
【符号の説明】
１  信号処理部
１１  監視パターン検出部
１２  監視パターン信号挿入部
２1 〜２n   端末装置
３  上りデータバス
５1 〜５n   監視優先制御信号線
６1 〜６n   端末インタフェース
Ｋ  監視パターン信号挿入ビット位置
Ｋ1   端末装置２1 の監視パターン信号
Ｋ2   端末装置２2 の監視パターン信号
Ｋn   端末装置２n の監視パターン信号
【図１】
0003738384.tif 000002
【図２】
0003738384.tif 000003
【図３】
0003738384.tif 000004
【図４】
0003738384.tif 000005
【図５】
0003738384.tif 000006
【図６】
0003738384.tif 000007
【図７】
0003738384.tif 000008
【図８】
0003738384.tif 000009